(57)【要約】【課題】直角に配置された幅木の端部どうしを簡単且つ確実に固定することができ、取外しも容易で、繰り返し使用することもでき、小型化、低コスト化を図ることのできる幅木固定用金具を提供すること。【解決手段】端面視略コの字形状をした２つの幅木嵌め込み部１１、１２を有し、これら各幅木嵌め込み部１１、１２のコの字状端面１１ａ、１２ａが同じ面を向き、且つ、一方の幅木嵌め込み部１１の一方側部１１ｂと他方の幅木嵌め込み部１２の基部１２ｄとが一体化されている金具本体１３と、一方の幅木嵌め込み部１１の他方側部１１ｃと他方の幅木嵌め込み部１２の一方側部１２ｂとにそれぞれ配設された幅木押圧部材１４、１５とから構成される。【選択図】図１
0003153818.tif 000002
【実用新案登録請求の範囲】
【請求項１】
端面視略コの字形状をした２つの幅木嵌め込み部を有し、これら各幅木嵌め込み部のコの字状端面が同じ面を向き、且つ、一方の幅木嵌め込み部の一方側部と他方の幅木嵌め込み部の基部とが一体化されている金具本体と、
前記一方の幅木嵌め込み部の他方側部と前記他方の幅木嵌め込み部の一方側部とに、それぞれ配設された幅木押圧部材とを備えていることを特徴とする幅木固定用金具。
【請求項２】
前記幅木押圧部材が、前記一方の幅木嵌め込み部の他方側部と前記他方の幅木嵌め込み部の一方側部とにそれぞれ形成された挿通孔に固着されたナット部材と、これら各ナット部材に螺進退自在に挿着されたボルト部材と、これら各ボルト部材の先端に回動自在に配設された押え皿部材とを含んで構成されていることを特徴とする請求項１記載の幅木固定用金具。
【請求項３】
幅木と柱材との交差部において、前記幅木の上縁にかぶせる幅木被冠部と、前記柱材を挟持するための端面視略コの字形状をした柱材挟持部とが一体化された金具本体と、
前記柱材挟持部の一方側部に配設された柱材押圧部材とを備えていることを特徴とする幅木固定用金具。
【請求項４】
前記柱材挟持部の両側部の間隔が開放端側に向かって広げられていることを特徴とする請求項３記載の幅木固定用金具。
【請求項５】
前記幅木被冠部が、端面視略コの字状片からなり、
該コの字状片のコの字状端面と前記柱材挟持部のコの字状端面との向きが、略直交するように、前記柱材挟持部の基部に前記コの字状片の一方側部が固着されていることを特徴とする請求項３又は請求項４記載の幅木固定用金具。
【請求項６】
前記金具本体が、略Ｔ字形状をした平鋼板の曲げ加工により形成されたものであり、
前記柱材挟持部が、前記平鋼板の傘部両片を一方側に折り曲げて形成され、
前記幅木被冠部が、前記平鋼板の脚部を他方側に略Ｌ字形状に折り曲げて形成されたものであることを特徴とする請求項３又は４記載の幅木固定用金具。
【請求項７】
請求項１又は請求項２記載の幅木固定用金具と、
請求項３〜６のいずれかの項に記載の幅木固定用金具と、
端面視略コの字形状をした幅木嵌め込み部を有する金具本体、及び該金具本体の一方側面に並列に設けられた幅木押圧部材からなる幅木固定用金具とを含んで構成されていることを特徴とする幅木固定用金具セット。
【考案の詳細な説明】
【技術分野】
【０００１】
本考案は幅木固定用金具に関し、より詳細には、建設現場で使用される足場、架設通路及び作業構台などの床材の側方に配置される幅木を固定するための幅木固定用金具、及び幅木固定用金具セットに関する。
【背景技術】
【０００２】
建設業等において足場等からの墜落防止等の対策強化を図るため、足場、架設通路及び作業構台からの墜落防止措置等に関し、労働安全衛生規則の一部が改正され、本年６月１日より、足場等における床材の側方に幅木を設置することなどが義務化されることとなった。
【０００３】
従来より、安全対策のため自主的に足場等における床材の側方に幅木を設置することも行われていたが、その設置方法の多くは、番線（太い針金）で幅木を足場等の建地（脚柱）に縛り付けるものであり、そのため取付作業が極めて面倒で、作業時間がかかり、番線の締め付けが不十分であると幅木が外れてしまう虞もあり、また、足場解体時、番線は切断されるため、切り屑となり、繰り返し使用することもできないという課題があった。
【０００４】
そこで、これらの問題点を解決するために、例えば、下記の特許文献１〜３の幅木固定用金具が提案されている。特許文献１記載の幅木固定用金具は、幅木を足場用単管に固定するための金具ではあるが、構成している部品点数が多く、製作コストが高く付き、また、足場用単管が挿設される単管取付片は、直径が異なる足場用単管（例えば、直径４２.７ｍｍと４８．６ｍｍ）でも使える（兼用できる）ようには構成されておらず、使用する足場用単管の径に応じた金具をそれぞれ用意しなければならなかった。
【０００５】
また、特許文献２（特に第２図、第３図等参照）や特許文献３（特に段落番号［００４４］、図３等参照）には、足場のコーナー部において直角に配置された幅木の端部どうしを固定するための金具が開示されている。しかしながら、いずれの金具も幅木の下部を支持する様に支持板を有する構成となっているため、長尺の幅木を金具の支持板の上に載せて嵌め込まなければならず、直角に配置された幅木コーナー部の上から嵌め込んで簡単に取り付けるようなことはできず、取付作業に依然として手間を要するという問題があった。
【先行技術文献】
【特許文献】
【０００６】
【特許文献１】特開平９−２２８６３０号公報
【特許文献２】実公昭５３−４２９８２号公報
【特許文献３】実用新案登録第３１１３４２２号公報
【考案の概要】
【課題を解決するための手段及びその効果】
【０００７】
本考案は上記課題に鑑みなされたものであって、略直角に配置された幅木の端部どうしを簡単且つ確実に固定することができ、また、幅木と建地（柱材）との固定を簡単且つ確実に行うことができ、取外しも容易で、繰り返し使用することもでき、さらに製品コストも抑えることのできる幅木固定用金具、及び金具セットを提供することを目的としている。
【０００８】
上記目的を達成するために本考案に係る幅木固定用金具（１）は、端面視略コの字形状をした２つの幅木嵌め込み部を有し、これら各幅木嵌め込み部のコの字状端面が同じ面を向き、且つ、一方の幅木嵌め込み部の一方側部と他方の幅木嵌め込み部の基部とが一体化されている金具本体と、前記一方の幅木嵌め込み部の他方側部と前記他方の幅木嵌め込み部の一方側部とに、それぞれ配設された幅木押圧部材とを備えていることを特徴としている。
【０００９】
上記幅木固定用金具（１）によれば、前記金具本体が、端面視略コの字形状をした２つの幅木嵌め込み部を有し、これら各幅木嵌め込み部のコの字状端面が同じ面を向き、且つ、一方の幅木嵌め込み部の一方側部と他方の幅木嵌め込み部の基部とが一体化されており、前記幅木押圧部材が、前記一方の幅木嵌め込み部の他方側部と前記他方の幅木嵌め込み部の一方側部とにそれぞれ配設されているので、略直角に配置された２つの幅木の端部に、前記金具本体の２つの幅木嵌め込み部を上から嵌め込み、その後、前記幅木押圧部材を用いて、各幅木と前記金具本体とを固定することができる。
【００１０】
また、略直角に配置される一方の幅木の側端面に、前記金具本体の一方の幅木嵌め込み部を嵌め込み、前記一方の幅木と前記金具本体とを前記幅木押圧部材を用いて固定した後、前記金具本体の他方の幅木嵌め込み部に、他方の幅木の側端面を嵌め込み、前記他方の幅木と前記金具本体とを固定することができる。
【００１１】
したがって、先に幅木を直角に配置し、その後、前記金具本体を取り付ける場合であっても、また、一方の幅木に前記金具本体を固定した後に、他方の幅木を直角方向に配置して固定する場合であっても、簡単かつ確実に幅木を直角方向に固定することができ、また取外しも容易で、繰り返し使用することもできる。
【００１２】
また、前記金具本体が、略直角に配置された各幅木の端部を狭持することができるように２つの幅木嵌め込み部が一体化されたものとなっているため、部品点数が少なく、また前記金具本体の大きさも小さくすることができ、製作コストを抑えて、製品コストを下げることができ、ユーザーにとって非常に扱いやすく、かつコストメリットの大きな金具にすることができる。
【００１３】
また本考案に係る幅木固定用金具（２）は、上記幅木固定用金具（１）において、前記幅木押圧部材が、前記一方の幅木嵌め込み部の他方側部と前記他方の幅木嵌め込み部の一方側部とにそれぞれ形成された挿通孔に固着されたナット部材と、これら各ナット部材に螺進退自在に挿着されたボルト部材と、これら各ボルト部材の先端に回動自在に配設された押え皿部材とを含んで構成されていることを特徴としている。
【００１４】
上記幅木固定用金具（２）によれば、前記ボルト部材の挿入量により、前記押え皿部材による前記幅木に対する押圧力を調整することができ、前記押え皿部材と、前記幅木嵌め込み部の内側面とで、前記幅木を挟持した固定状態を維持することができる。また、前記ボルト部材をねじ込んだ場合でも、前記幅木に圧接された前記押え皿部材は回転しないので、前記幅木の位置がずれるといった現象を防止することができ、幅木を確実に固定することができる。
【００１５】
また本考案に係る幅木固定用金具（３）は、幅木と柱材との交差部において、前記幅木の上縁にかぶせる幅木被冠部と、前記柱材を挟持するための端面視略コの字形状をした柱材挟持部とが一体化された金具本体と、前記柱材挟持部の一方側部に配設された柱材押圧部材とを備えていることを特徴としている。
【００１６】
上記幅木固定用金具（３）によれば、前記金具本体の前記柱材挟持部の両側部間に前記柱材を嵌め込み、前記柱材押圧部材を前記柱材に押し当てて、前記柱材押圧部材の先端部と、前記柱材挟持部の内側面とで前記柱材を挟持して固定するとともに、前記柱材挟持部と一体化された前記幅木被冠部が前記幅木の上縁にかぶせられる構成となっているので、幅木と建地（柱材）との固定を簡単且つ確実に行うことができ、取外しも容易で、繰り返し使用することもできる。また、部品点数が少なく、前記金具本体の大きさも小さくすることができ、製作コストを抑えて、製品コストを抑えることができ、ユーザーにとって非常に扱いやすく、かつコストメリットの大きな金具にすることができる。
【００１７】
また本考案に係る幅木固定用金具（４）は、上記幅木固定用金具（３）において、前記柱材挟持部の両側部の間隔が開放端側に向かって広げられていることを特徴としている。
【００１８】
上記幅木固定用金具（４）によれば、前記柱材挟持部の両側部の間隔が開放端側に向かって広げられているので、一つの前記金具本体で、径が異なる柱材への取り付けも行うことができ、前記柱材の径のサイズ毎に金具本体を用意する必要がなく、ユーザーにとって利便性の高い扱いやすい金具にすることができる。
【００１９】
また本考案に係る幅木固定用金具（５）は、上記幅木固定用金具（３）又は（４）において、前記幅木被冠部が、端面視略コの字状片からなり、該コの字状片のコの字状端面と前記柱材挟持部のコの字状端面との向きが、略直交するように、前記柱材挟持部の基部に前記コの字状片の一方側部が固着されていることを特徴としている。
【００２０】
上記幅木固定用金具（５）によれば、前記幅木被冠部が、端面視略コの字状片からなり、該コの字状片のコの字状端面と前記柱材挟持部のコの字状端面との向きが、略直交するように、前記柱材挟持部の基部に前記コの字状片の一方側部が固着されているので、前記略コの字状片によって前記幅木の上縁を確実に把持することができ、幅木と建地（柱材）との固定を簡単且つ確実に行うことができ、上記幅木固定用金具（３）と同様の効果を得ることができる。
【００２１】
また本考案に係る幅木固定用金具（６）は、上記幅木固定用金具（３）又は（４）において、前記金具本体が、略Ｔ字形状をした平鋼板の曲げ加工により形成されたものであり、前記柱材挟持部が、前記平鋼板の傘部両片を一方側に折り曲げて形成され、前記幅木被冠部が、前記平鋼板の脚部を他方側に略Ｌ字形状に折り曲げて形成されたものであることを特徴としている。
【００２２】
上記幅木固定用金具（６）によれば、前記金具本体が、略Ｔ字形状をした平鋼板の曲げ加工により形成されたものであり、前記柱材挟持部が、前記平鋼板の傘部両片を一方側に折り曲げて形成され、前記幅木被冠部が、前記平鋼板の脚部を他方側に略Ｌ字形状に折り曲げて形成されたものであるので、前記金具本体を、一つの部材から一体形成されたものとして構成することができ、部品点数を最小限に抑えることができ、製作コストを抑える効果を一層高めることができる。
【００２３】
また本考案に係る幅木固定用金具セットは、上記幅木固定用金具（１）又は（２）と、上記幅木固定用金具（３）〜（６）のいずれかと、端面視略コの字形状をした幅木嵌め込み部を有する金具本体、及び該金具本体の一方側面に並列に設けられた幅木押圧部材からなる幅木固定用金具とを含んで構成されていることを特徴としている。
【００２４】
上記幅木固定用金具セットによれば、建設現場で使用される足場、架設通路及び作業構台などの床材の側方に配置される幅木を、直角配置（コーナー）部分、建地（脚柱）との交差部分、直列配置部分でそれぞれ簡単かつ確実に固定することができ、また取外しも容易で、繰り返し使用することもでき、ユーザーにとって非常に扱いやすく、かつコストを抑えた安価な金具セットを提供することができる。
【図面の簡単な説明】
【００２５】
【図１】本考案の実施の形態に係る幅木固定用金具を示した図であり、（ａ）は平面図、（ｂ）は正面図、（ｃ）は背面図を示している。
【図２】実施の形態に係る別の幅木固定用金具を示した図であり、（ａ）は平面図、（ｂ）は正面図を示している。
【図３】仮設足場の足場板の外側に幅木が配置され、幅木固定用金具により幅木が建枠に固定されている状態を示した斜視図である。
【図４】仮設足場のコーナー部において、略直角に配置された幅木どうしが、別の幅木固定用金具で固定されている状態を示した図であり、（ａ）は斜視図、（ｂ）は平面図である。
【図５】一直線上に配置された幅木どうしが、さらに別の幅木固定用金具で固定されている状態を示した斜視図である。
【図６】図５に示した幅木固定用金具の側面図である。
【考案を実施するための形態】
【００２６】
以下、本考案に係る幅木固定用金具、及び幅木固定用金具セットの実施の形態を図面に基づいて説明する。図１は、実施の形態に係る幅木固定用金具を示した図であり、（ａ）は平面図、（ｂ）は正面図、（ｃ）は背面図を示している。
【００２７】
図中１０は、足場等におけるコーナー部で略直角に配設された幅木の端部どうしを固定するための幅木固定用金具を示しており、幅木固定用金具１０は、端面視略コの字形状をした第１の幅木嵌め込み部１１と第２の幅木嵌め込み部１２とを有し、第１の幅木嵌め込み部１１のコの字状端面１１ａと第２の幅木嵌め込み部１２のコの字状端面１２ａとが同じ面を向き、且つ、第１の幅木嵌め込み部１１の側部１１ｂと第２の幅木嵌め込み部１２の基部１２ｄとが一体化された（この場合、溶接により接合されて一体化された）金具本体１３と、第１の幅木嵌め込み部１１の側部１１ｃと第２の幅木嵌め込み部１２の側部１２ｂとに、それぞれ挿着された幅木押圧部材１４、１５とを備えている。
【００２８】
第１の幅木嵌め込み部１１、第２の幅木嵌め込み部１２は、例えば、厚みが２〜４ｍｍ程度、幅が６０ｍｍ程度の鋼板により形成されており、基部１１ｄ、１２ｄの縦横サイズが６０×６１ｍｍ程度、両側部１１ｂ、１１ｃ、１２ｂ、１２ｃの出幅が５０ｍｍ程度の大きさのコの字形状に作製されており、両側部１１ｂ、１１ｃ、１２ｂ、１２ｃの角部は、斜めにカットされている。また、金具本体１３には、必要性に応じてメッキ加工が施される。
【００２９】
幅木押圧部材１４、１５は、第１の幅木嵌め込み部１１の側部１１ｃと第２の幅木嵌め込み部１２の側部１２ｂとにそれぞれ形成された挿通孔１１ｅ、１２ｅに固着されたナット部材１４ａ、１５ａと、これら各ナット部材１４ａ、１５ａに螺進退自在に挿着されたボルト部材１４ｂ、１５ｂと、ボルト部材１４ｂ、１５ｂの先端に回動自在に配設された押え皿部材１４ｃ、１５ｃとを含んで構成されており、押え皿部材１４ｃと第１の幅木嵌め込み部１１の側部１１ｂの内側面、及び押え皿部材１５ｃと第２の幅木嵌め込み部１２の側部１２ｃの内側面とで幅木を挟持した固定状態を維持することが可能となっている。
【００３０】
ボルト部材１４ｂ、１５ｂとしては、ボルト径がＭ１２、長さ４０ｍｍ程度のものが使用に適しており、略円盤形状をした押え皿部材１４ｃ、１５ｃの直径は、３１ｍｍ程度に設定されている。
【００３１】
図２は、実施の形態に係る別の幅木固定用金具の要部を概略的に示した図であり、（ａ）は平面図、（ｂ）は正面図を示している。
図中２０は、足場等の建地（柱材）に幅木を固定するための幅木固定用金具を示し、幅木固定用金具２０は、横臥させた幅木と柱材との交差部において、幅木の上縁にかぶせる幅木被冠部２１と、幅木の長手方向に対して略直角に配置される柱材を挟持するための端面視略コの字形状をした柱材挟持部２２とが一体化された金具本体２３と、柱材挟持部２２の側部２２ｂに挿着された柱材押圧部材２４とから構成されている。
【００３２】
また、柱材挟持部２２の両側部２２ｂ、２２ｃの間隔が、開放端側に向かって広げられており、直径４２.７ｍｍと４８．６ｍｍの足場用単管を柱材挟持部２２に嵌め込んで固定することが可能となっている。幅木被冠部２１は、端面視コの字状片からなり、該コの字状片のコの字状端面２１ａと柱材挟持部２２のコの字状端面２２ａとの向きが、略直交するように、柱材挟持部２２の基部２２ｄにコの字状片（幅木被冠部２１）の側部２１ｂが溶接等により固着されている。
【００３３】
幅木被冠部２１は、例えば、厚みが２〜４ｍｍ程度、幅が４０ｍｍ程度の鋼板により形成され、両側部２１ｂ、２１ｃの出幅が３０ｍｍ程度、内幅が４５ｍｍ程度の大きさに作製されている。柱材挟持部２２は、例えば、厚み２〜４ｍｍ程度、幅３８ｍｍ程度の鋼板により形成され、両側部２２ｂ、２２ｃの出幅が４７ｍｍ程度、両側部２２ｂ、２２ｃの開放端の内幅が５３ｍｍ程度の大きさに作製されており、開放端面は円弧状に加工されている。また、金具本体２３には、必要性に応じて適宜メッキ加工が施される。
【００３４】
また、柱材押圧部材２４は、柱材挟持部２２の側部２２ｂに形成された挿通孔２２ｅに固着されたナット部材２４ａと、ナット部材２４ａに螺進退自在に挿着されたボルト部材２４ｂとを含んで構成され、ボルト部材２４ｂの先端を、柱材挟持部２２に嵌め込まれた柱材に押し当てることで、ボルト部材２４ｂと、柱材挟持部２２の内側面とで、柱材を挟持した状態で固定することが可能となっている。ボルト部材２４ｂとしては、ボルト径が３／８インチ、長さが２５ｍｍ程度のものが使用に適している。
【００３５】
次に、実施の形態に係る幅木固定用金具１０、２０の使用形態について説明する。
図３は、仮設足場の足場板の外側に幅木が水平方向に配置され、幅木固定用金具２０により幅木が建枠に固定されている状態を示した斜視図である。なお、図３には仮設足場の一部についてのみ記載しているが、仮設足場は、左右一対の脚注４０間に横桟４１が水平に架け渡された多数の建枠４２が所定の間隔（例えば１８００ｍｍ）おきに横方向や鉛直方向に並べて配置されるとともに、隣合う建枠４２の横桟４１間に足場板４３が架け渡され、さらに隣合う建枠４２の対応する脚注４０間に筋交４４が取り付けられて構成されたものである。なお、足場板４３の側方に配置される幅木４５の長さは、建枠４２の間隔よりも長く、例えば２ｍ又は４ｍの長さの板材が幅木４５として使用される。
【００３６】
幅木固定用金具２０で幅木４５を脚注４０に固定する場合、柱材挟持部２２に設けられたボルト部材２４ｂを緩めた状態で、柱材挟持部２２を脚注４０に嵌め込み、その状態のまま、幅木被冠部２１を幅木４５の上縁に嵌め込む。次に、幅木被冠部２１の内側面を幅木４５の上縁に押し当てた状態で、ボルト部材２４ｂを所定の工具で締め付けると、ボルト部材２４ｂの先端が脚注４０に押し当てられて、ボルト部材２４ｂの先端と柱材挟持部２２の内側面とで脚注４０が挟持された状態に固定される。
【００３７】
図４は、仮設足場のコーナー部において、略直角に配置された幅木どうしが、幅木固定用金具１０で固定されている状態を示した図であり、（ａ）は斜視図、（ｂ）は平面図である。なお、簡略化のため、図４では、仮設足場の各部の記載について省略している。
【００３８】
幅木固定用金具１０で略直角に配置された幅木４５どうしを固定する場合、第１、第２の幅木嵌め込み部１１、１２に設けられたボルト部材１４ｂ、１５ｂを緩め、コの字状端面１１ａ、１２ａを上下面に向けた状態で、一方の幅木４５の端部に第１の幅木嵌め込み部１１を、他方の幅木４５の端部に第２の幅木嵌め込み部１２を上から嵌め込み、その状態で、ボルト部材１４ｂ、１５ｂを所定の工具で締め付けると、押え皿部材１４ｃと第１の幅木嵌め込み部１１の側部１１ｂの内側面とで一方の幅木４５の端部が狭持された状態で固定され、押え皿部材１５ｃと第２の幅木嵌め込み部１２の側部１２ｃの内側面とで他方の幅木４５の端部が狭持された状態で固定される。
【００３９】
また、別の取付方法として、先に、一方の幅木４５の側端面に、第１の幅木嵌め込み部１１のみを嵌め込み、ボルト部材１４ｂを締め付けて、押え皿部材１４ｃと第１の幅木嵌め込み部１１の側部１１ｂの内側面とで一方の幅木４５の端部を狭持した状態で固定する。その後、第２の幅木嵌め込み部１２に、他方の幅木４５の側端面を差し込み、ボルト部材１５ｂを締め付けて、押え皿部材１５と第２の幅木嵌め込み部１２の側部１２ｃの内側面とで他方の幅木の端部を狭持した状態で固定することもでき、幅木の長さ等の作業条件を考慮して、作業者が取り付けやすい方法で取り付けが行えるようになっている。
【００４０】
なお、一直線上に配設された幅木４５の端部どうしを互いに接続する箇所には、図５、６に示した幅木固定用金具３０を使用すればよい。図５は、直列に配置された幅木の端部どうしが、別の幅木固定用金具３０で固定されている状態を示した斜視図であり、図６は、幅木固定用金具３０の左側面図である。なお、簡略化のため、図５では、仮設足場の各部の記載について省略している。
【００４１】
幅木固定用金具３０は、断面コの字形状をした幅木嵌め込み部となる金具本体３１と、金具本体３１の一方側面３１ｂに並列に設けられた幅木押圧部材３２、３３とから構成されている。
【００４２】
金具本体３１は、例えば、厚み２〜４ｍｍ程度の鋼板で形成されており、基部３１ａの縦横サイズが６０×１００ｍｍ程度、両側部３１ｂ、３１ｃの出幅が５０ｍｍ程度の大きさに作製されており、また、両側部３１ｂ、３１ｃの角部は、斜めにカットされている。また、金具本体３１は、必要性に応じて適宜メッキ加工が施される。
【００４３】
幅木押圧部材３２、３３は、金具本体３１の側部３１ｂに並列に設けられた挿通孔に固着されたナット部材３２ａ、３３ａと、これら各ナット部材３２ａ、３３ａに螺進退自在に挿着されたボルト部材３２ｂ、３３ｂと、ボルト部材３２ｂ、３３ｂの先端に回動自在に配設された押え皿部材３２ｃ、３３ｃとを含んで構成されている。
【００４４】
幅木固定用金具３０を使用する場合、２つの幅木４５の境目に金具本体３１を上から嵌め込む。なお、幅木固定用金具３０を幅木４５に嵌め込む際の向きは、特に限定されないが、取付作業の安全性を考慮すれば、幅木押圧部材３２、３３が設けられている側部３１ｂを足場の内側に向ける方が好ましい。
【００４５】
次に、側部３１ｂに設けられたボルト部材３２ｂ、３３ｂを所定の工具で締め付けることにより、押え皿部材３２ｃと金具本体３１の側部３１ｃの内側面とで一方の幅木４５が挟持され、押え皿部材３３ｃと金具本体３１の側部３１ｃの内側面とで他方の幅木４５が挟持された状態で固定される。
【００４６】
上記実施の形態に係る幅木固定用金具１０によれば、略直角に配置された２つの幅木の端部に、金具本体１３を構成する２つの幅木嵌め込み部１１、１２を上から嵌め込み、その後、幅木押圧部材１４、１５を用いて、各幅木と金具本体１３とを簡単かつ確実に固定することができる。
【００４７】
また、略直角に配置される一方の幅木の側端面に、金具本体１３の一方の幅木嵌め込み部１１を嵌め込み、一方の幅木と金具本体１３とを幅木押圧部材１４を用いて固定した後、金具本体１３の他方の幅木嵌め込み部１２に、他方の幅木の側端面を嵌め込み、他方の幅木と金具本体１３とを固定する方法でも簡単かつ確実に取り付けることができる。
【００４８】
したがって、先に幅木を直角に配置し、その後、金具本体１３を取り付ける場合であっても、また、一方の幅木に金具本体１３を固定した後に、他方の幅木を直角方向に配置して固定する場合であっても、簡単かつ確実に幅木どうしを固定することができ、また取外しも容易で、繰り返し使用することもできる。
【００４９】
また、金具本体１３が、略直角に配置された各幅木の端部を挟持することができるように２つの幅木嵌め込み部１１、１２が一体化されたものとなっているため、部品点数が少なく、また金具本体１３を小さくすることができ、製作コストを抑えて、製品コストを下げることができ、ユーザーにとって非常に扱いやすく、かつコストメリットの大きな金具にすることができる。
【００５０】
また、幅木固定用金具１０によれば、ボルト部材１４ｂ、１５ｂの挿入量により、押え皿部材１４ｃ、１５ｃによる幅木に対する押圧力を調整することができ、押え皿部材１４ｃ、１５ｃと、幅木嵌め込み部１１、１２の内側面とで、幅木を挟持した固定状態を維持することができる。また、ボルト部材１４ｂ、１５ｂをねじ込んだ場合でも、幅木に圧接される押え皿部材１４ｃ、１５ｃは回転しないので、ボルトねじ込み時に幅木の位置がずれる現象を防止することができ、幅木を確実に固定することができる。
【００５１】
なお、上記実施の形態では、幅木固定用金具１０の幅木嵌め込み部１１、１２が、２つのコの字形状をした部材で構成され、これらが溶接により一体化されている場合について説明したが、本考案では、金具本体が、略コの字形状をした２つの幅木嵌め込み部を有し、これら各幅木嵌め込み部のコの字状端面が同じ面を向き、且つ、一方の幅木嵌め込み部の一方側部と他方の幅木嵌め込み部の基部とが一体化されている形状のものであればよく、コの字形状をした部材を溶接により一体化された形態に限定されるものではない。
【００５２】
また、上記実施の形態に係る幅木固定用金具２０によれば、金具本体２３の柱材挟持部２２の両側部２２ｂ、２２ｃ間に柱材を嵌め込み、柱材押圧部材２４（のボルト部材２４ｂ）を柱材に押し当てて、ボルト部材２４ｂの先端部と、柱材挟持部２２の内側面とで柱材を挟持して固定するとともに、柱材挟持部２２と一体化されたコの字形状の幅木被冠部２１が幅木の上縁に嵌め込まれる構成となっているので、幅木と建地（柱材）との固定を簡単且つ確実に行うことができ、取外しも容易で、繰り返し使用することもできる。また、部品点数が少なく、金具本体２３を小さくすることができ、製作コストを抑えて、製品コストを抑えることができ、ユーザーにとって非常に扱いやすく、かつコストメリットの大きな金具にすることができる。
【００５３】
また、柱材挟持部２２の両側部２２ｂ、２２ｃの間隔が開放端側に向かって広げられているので、一つの金具本体２３で、径が異なる柱材（４２.７ｍｍと４８．６ｍｍの足場用単管）への取り付けも行うことができ、柱材の径のサイズ毎に金具本体を用意する必要がなく、ユーザーにとって利便性の高い、扱いやすい金具にすることができる。
【００５４】
なお、上記実施の形態では、別々の部材である幅木被冠部２１と柱材挟持部２２とを溶接により一体化して金具本体２３を構成する場合について説明したが、別の実施の形態では、略Ｔ字形状をした平鋼板の曲げ加工により金具本体を形成する構成とすることもでき、その場合、柱材挟持部が、略Ｔ字形状をした平鋼板の傘部両片を一方側に折り曲げて形成され、幅木被冠部が、略Ｔ字形状をした平鋼板の脚部を他方側に略Ｌ字形状に折り曲げて形成されたものとすることができる。
係る構成の幅木固定用金具によれば、金具本体を、一つの部材から一体形成されたものとして構成することができ、部品点数を最小限に抑えることができ、製品コストを抑える効果を一層高めることができる。
【００５５】
また、幅木固定用金具１０、２０、３０を含んで幅木固定用金具セットが構成されているので、建設現場で使用される足場、架設通路及び作業構台などの床材の側方に配置される幅木を、直角配置（コーナー）部分、建地（脚柱）との交差部分、及び直列配置部分でそれぞれ簡単かつ確実に固定することができ、また取外しも容易で、繰り返し使用することもでき、ユーザーにとって非常に扱いやすく、かつコストを抑えた金具セットとすることができる。
【００５６】
なお、幅木には、建枠（脚柱）の間隔よりも長いものが使用されるので、建地（脚柱）との交差部分でのみ、幅木と脚注とを固定する（幅木を建枠の横桟上に載せた状態で脚注に固定する）ようにすれば、直角配置（コーナー）部分や直列配置部分での脚注への固定を行わなくても、幅木を足場板側方に安定した状態で設置することができ、不要な部品をなくした安価な金具セットを提供することができる。
【符号の説明】
【００５７】
１０  幅木固定用金具
１１  第１の幅木嵌め込み部
１１ａ  コの字状端面
１１ｂ  側部
１１ｃ  側部
１１ｄ  基部
１１ｅ  挿通孔
１２  第２の幅木嵌め込み部
１２ａ  コの字状端面
１２ｂ  側部
１２ｃ  側部
１２ｄ  基部
１２ｅ  挿通孔
１３  金具本体
１４、１５  幅木押圧部材
１４ａ、１５ａ  ナット部材
１４ｂ、１５ｂ  ボルト部材
１４ｃ、１５ｃ  押え皿部材
【図１】
0003153818.tif 000003
【図２】
0003153818.tif 000004
【図３】
0003153818.tif 000005
【図４】
0003153818.tif 000006
【図５】
0003153818.tif 000007
【図６】
0003153818.tif 000008